【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
装着された第１の記録媒体に記録されているデータを再生させる情報処理装置において、
情報を記憶する1つまたは複数の記憶手段と、
装着された前記第１の記録媒体、または、装着された前記第１の記録媒体に対応付けられて前記記憶手段のうちのいずれかに記憶されているアプリケーションであって、前記第１の記録媒体に記録されているデータを処理する第１の機能を実現するとともに、前記第１の記録媒体に記録されているデータを再生するために必須のアプリケーションである第１のアプリケーションと、前記記憶手段のうちのいずれかに記憶され、前記第１の機能とは異なる第２の機能を実現する第２のアプリケーションとを実行する実行手段と
を備え、
前記実行手段は、前記第１のアプリケーションおよび前記第２のアプリケーションを、第１のアプリケーション間通信を用いて、相互に情報を授受して連動して実行する
情報処理装置。
【請求項２】
前記第２のアプリケーションは、少なくとも一つの所定の前記第１の記録媒体に対応付けられ、
前記実行手段は、前記第１のアプリケーションを実行している場合、前記第１のアプリケーションが記録されているか、または、前記第１のアプリケーションが対応付けられている前記第１の記録媒体に対して対応付けられた前記第２のアプリケーションを検出し、検出された前記第２のアプリケーションを起動させる
請求項１に記載の情報処理装置。
【請求項３】
前記第２のアプリケーションには、少なくとも一つの所定の前記第１の記録媒体を識別するための識別情報が対応付けられている
請求項２に記載の情報処理装置。
【請求項４】
前記実行手段は、前記第１の記録媒体が装着された場合、前記記憶手段の記憶領域のうちの装着された前記第１の記録媒体に対応付けられた情報が記憶された領域と、装着された前記第１の記録媒体の記録領域とを１つのデータ記憶領域として取り扱って、前記データ記憶領域のいずれかに記憶されている前記第１のアプリケーションを起動する
請求項１に記載の情報処理装置。
【請求項５】
前記第２のアプリケーションは、少なくとも一つの所定の前記第１の記録媒体に対応付けられ、
前記実行手段は、前記第１の記録媒体が装着されて起動された前記第１のアプリケーションにより、前記第１の記録媒体に対応付けられた前記第２のアプリケーションを検出し、検出された前記第２のアプリケーションを起動させる
請求項４に記載の情報処理装置。
【請求項６】
前記第２のアプリケーションには、少なくとも一つの所定の前記第１の記録媒体を識別するための識別情報が対応付けられている
請求項５に記載の情報処理装置。
【請求項７】
複数の前記記憶手段のいずれかには、少なくとも１つの前記第１の記録媒体に対応付けられた情報が記憶される第１の領域と、前記第１の領域とは異なる、前記第２のアプリケーションが記憶される第２の領域とを含む記憶領域とが設定される
請求項１に記載の情報処理装置。
【請求項８】
前記実行手段は、前記第１のアプリケーションを実行することにより、装着された前記第１の記録媒体に対応付けられた情報が記憶される前記第１の領域と、装着された前記第１の記録媒体の記録領域とを１つのデータ記憶領域として取り扱う
請求項７に記載の情報処理装置。
【請求項９】
番組コンテンツデータを取得する取得手段を更に備え、
前記記憶手段は、前記取得手段により取得された前記番組コンテンツデータに含まれている前記第２のアプリケーションを記憶する
請求項１に記載の情報処理装置。
【請求項１０】
前記実行手段は、仮想マシン環境を有し、前記仮想マシン上で、前記第１のアプリケーションおよび前記第２のアプリケーションを実行するとともに、前記仮想マシン上で実行されない、第３のアプリケーションを更に実行し、
前記第２のアプリケーションは、第２のアプリケーション間通信を用いて、前記第３のアプリケーションと情報を授受する
請求項１に記載の情報処理装置。
【請求項１１】
前記第３のアプリケーションは、前記第１のアプリケーションとは独立して実行可能なアプリケーションである
請求項１０に記載の情報処理装置。
【請求項１２】
前記第２のアプリケーションは、前記第１のアプリケーションとともにのみ実行可能である
請求項１に記載の情報処理装置。
【請求項１３】
前記実行手段は、前記第１のアプリケーションとは独立して実行可能な第３のアプリケーションを更に実行し、
前記第２のアプリケーションは、第２のアプリケーション間通信を用いて、前記第３のアプリケーションと情報を授受する
請求項１２に記載の情報処理装置。
【請求項１４】
前記実行手段は、前記第２のアプリケーションを複数実行することが可能であり、所定の前記第２のアプリケーションを実行することにより、装着された前記第１の記録媒体に記録されている情報に基づいて、異なる前記第２のアプリケーションの取得を制御する
請求項１に記載の情報処理装置。
【請求項１５】
前記実行手段は、所定の前記第２のアプリケーションを実行することにより、ネットワークを介して、他の装置からの異なる前記第２のアプリケーションの取得を制御し、
装着された前記第１の記録媒体に記録されている情報には、前記他の装置の前記ネットワークにおけるアドレス情報が含まれている
請求項１４に記載の情報処理装置。
【請求項１６】
前記ネットワークを介して取得された前記第２のアプリケーションを実行する前記実行手段は、前記他の装置と情報を授受することにより所定の認証処理を実行する
請求項１５に記載の情報処理装置。
【請求項１７】
前記ネットワークを介して取得された前記第２のアプリケーションを実行する前記実行手段は、前記第１の記録媒体に記録されているデータの少なくとも一部を前記第１の記録媒体とは異なる第２の記録媒体に複写する処理を、所定の著作権保護の枠組みに基づいて実行する
請求項１５に記載の情報処理装置。
【請求項１８】
装着された記録媒体に記録されているデータを再生させる情報処理装置の情報処理方法において、
前記情報処理装置は、複数のアプリケーションを実行可能であり、
装着された前記記録媒体、または、装着された前記記録媒体に対応付けられて１つまたは複数の記憶部のうちのいずれかに記憶されているアプリケーションであって、前記記録媒体に記録されているデータを処理する第１の機能を実現するとともに、前記記録媒体に記録されているデータを再生するために必須のアプリケーションである第１のアプリケーションと、前記記憶部のうちのいずれかに記憶され、前記第１の機能とは異なる第２の機能を実現する第２のアプリケーションとを、仮想マシン上で、所定のアプリケーション間通信を用いて、相互に情報を授受して連動して実行する
情報処理方法。
【請求項１９】
記録媒体に記録された情報を再生する処理をコンピュータに実行させるためのプログラムであって、
前記記録媒体に記録されているデータを処理する第１の機能を実現し、
所定の１つまたは複数の記憶部のうちのいずれかに記憶されている、前記第１の機能と異なる第２の機能を実現する他のプログラムのうち、自分自身に対応付けられている前記他のプログラムを検出し、
検出された前記他のプログラムを起動させ、
前記他のプログラムと、所定のアプリケーション間通信を用いて情報を授受して所定の動作を実行する
ステップを含む処理をコンピュータに実行させるプログラム。
【請求項２０】
請求項１９に記載のプログラムが記録されている記録媒体。
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００４０
【補正方法】削除
【補正の内容】
【手続補正８】
【補正対象書類名】明細書
【補正対象項目名】００４１
【補正方法】削除
【補正の内容】
【手続補正９】
【補正対象書類名】明細書
【補正対象項目名】００４２
【補正方法】削除
【補正の内容】
【手続補正１０】
【補正対象書類名】明細書
【補正対象項目名】００４３
【補正方法】削除
【補正の内容】
【手続補正１１】
【補正対象書類名】明細書
【補正対象項目名】００４４
【補正方法】削除
【補正の内容】
【手続補正１２】
【補正対象書類名】明細書
【補正対象項目名】００４５
【補正方法】削除
【補正の内容】
【手続補正１３】
【補正対象書類名】明細書
【補正対象項目名】００４６
【補正方法】削除
【補正の内容】
【手続補正１４】
【補正対象書類名】明細書
【補正対象項目名】００４７
【補正方法】削除
【補正の内容】
【手続補正１５】
【補正対象書類名】明細書
【補正対象項目名】００４８
【補正方法】削除
【補正の内容】
【手続補正１６】
【補正対象書類名】明細書
【補正対象項目名】００４９
【補正方法】削除
【補正の内容】
【手続補正１７】
【補正対象書類名】明細書
【補正対象項目名】００５０
【補正方法】削除
【補正の内容】
【手続補正１８】
【補正対象書類名】明細書
【補正対象項目名】００５１
【補正方法】削除
【補正の内容】
【手続補正１９】
【補正対象書類名】明細書
【補正対象項目名】００５２
【補正方法】削除
【補正の内容】